(57)【要約】【課題】  高周波信号を重畳した駆動信号によってレーザーダイオードを駆動する場合に発生する緩和振動による影響を改善する。【解決手段】レーザーダイオード２の駆動電流に高周波信号を重畳させることによって該レーザーダイオード２から発光されるレーザー光にて光ディスクに記録されている信号の読み出し動作を行うように構成された光ディスク装置のレーザーダイオード駆動方法であり、レーザーダイオード２に該レーザーダイオード２が発光を開始する最低電流値である発光閾値に直流バイアス電流を付加した駆動信号を供給する。【選択図】図１
2008053600.tif 000002
【特許請求の範囲】
【請求項１】
レーザーダイオードの駆動電流に高周波信号を重畳させることによって該レーザーダイオードから発光されるレーザー光にて光ディスクに記録されている信号の読み出し動作を行うように構成された光ディスク装置のレーザーダイオード駆動方法であり、レーザーダイオードに該レーザーダイオードが発光を開始する最低電流値である発光閾値に直流バイアス電流を付加した駆動信号を供給するようにしたことを特徴とするレーザーダイオード駆動方法。
【請求項２】
重畳される高周波信号の最低値が発光閾値より大きくなるように直流バイアス電流の値を設定したことを特徴とする請求項１に記載のレーザーダイオード駆動方法。
【請求項３】
光ディスクに記録されている信号の読み出し動作を行うレーザーダイオードの発光出力を得るために設定されているレーザーダイオードの駆動電流値を動作電流値としたとき、直流バイアス電流の値を前記動作電流値より小さい値に設定したことを特徴とする請求項１に記載のレーザーダイオード駆動方法。
【発明の詳細な説明】
【技術分野】
【０００１】
本発明は、光ディスクに記録されている信号の読み出し動作を行う光ピックアップ装置に組み込まれてレーザーダイオードの駆動方法に関する。
【背景技術】
【０００２】
光ピックアップ装置から照射されるレーザー光を光ディスクの信号記録層に照射することによって信号の読み出し動作や信号の記録動作を行うことが出来る光ディスク装置が普及している。
【０００３】
光ディスク装置に組み込まれている光ピックアップ装置におけるレーザー光を放射する素子としては、一般にレーザーダイオードが使用されている。レーザーダイオードを光源として使用する光ディスク装置では、光ディスクの信号記録層から反射される戻り光に起因するレーザー雑音が大きな問題になる。
【０００４】
この戻り光に起因するレーザー雑音を低減させる方法として、従来からレーザーダイオードの駆動電流に高周波信号を重畳させる方法が採用されている。（特許文献１参照。）
【特許文献１】特開２００２−１８４０１０号公報
【発明の開示】
【発明が解決しようとする課題】
【０００５】
図４はレーザーダイオードにおけるレーザー光の発光特性を説明するものである。図４(Ａ)に示すパルス状の駆動電流をレーザーダイオードに供給すると、レーザーダイオード内の注入キャリア(電子や正孔等の電流の運び手)の密度が図４(Ｂ)に示すように変化するとともにレーザーダイオードから発光されるレーザー光の光子密度が図４(Ｃ)に示すように変化する。
【０００６】
同図より明らかなように駆動電流の増加に遅れて注入キャリア密度が上昇し、注入キャリア密度が動作密度Ｃに達したとき、レーザーダイオードの光子密度が上昇することになる。また、図４(Ｂ)に示す注入キャリア密度の変化カーブから明らかなように立ち上がり動作時に振動特性が現れるが、斯かる特性は一般に緩和振動と呼ばれている。
【０００７】
前述した注入キャリア密度に緩和振動が発生すると図４(Ｃ)に示す光子密度の変化カーブから明らかように光子密度にも同様に緩和振動が発生する。斯かる緩和振動は、所定時間経過すると無くなり、動作光子密度Ｌｏにてレーザーダイオードはレーザー光を発光することになる。斯かる図面より明らかなようにレーザーダイオードの発光量は立ち上がり動作時に緩和振動によって大きく変動する。
【０００８】
図５はレーザーダイオードに供給される駆動信号に高周波信号Ｈを従来一般に行われている方法にて重畳させた場合の駆動電流と発光出力との関係を示す特性図であり、Ｉｔｈはレーザーダイオードが発光する最低電流値である発光閾値である。
【０００９】
同図より明らかなように高周波信号Ｈは、発光閾値Ｉｔｈを中心として変化するように重畳させてレーザーダイオードに駆動信号として供給される。斯かる図面より明らかなように高周波信号Ｈのレベル変化に応じて発光出力Ｌが変化するが、前述した緩和振動によってレーザーダイオードの立ち上がり時に発光出力のピークレベルが大きくなる。
【００１０】
レーザーダイオードの発光出力が立ち上がり動作時に大きくなると、光ディスクの信号
記録層に記録されている信号に対して悪影響があり、極端な場合には記録されている信号が消去されるという問題がある。
【００１１】
本発明は斯かる問題を解決することが出来るレーザーダイオードの駆動方法を提供しようとするものである。
【課題を解決するための手段】
【００１２】
本発明は、レーザーダイオードの駆動電流に高周波信号を重畳させることによって該レーザーダイオードから放射されるレーザー光にて光ディスクに記録されている信号の読み出し動作を行うように構成された光ディスク装置のレーザーダイオード駆動方法であり、レーザーダイオードに該レーザーダイオードが発光を開始する最低電流値である発光閾値に直流バイアス電流を付加した駆動信号を供給するように構成されている。
【００１３】
また、本発明は、重畳される高周波信号の最低値が発光閾値より大きくなるように直流バイアス電流の値を設定するように構成されている。
【００１４】
そして、本発明は、光ディスクに記録されている信号の読み出し動作を行うレーザーダイオードの発光出力を得るために設定されているレーザーダイオードの駆動電流値を動作電流値としたとき、直流バイアス電流の値を前記動作電流値より小さい値に設定するように構成されている。
【発明の効果】
【００１５】
本発明は、レーザーダイオードが発光を開始する最低電流値である発光閾値に直流バイアス電流を付加させた駆動信号をレーザーダイオードに供給するようにしたので、注入キャリア密度の上昇が緩やかになり、該注入キャリア密度における緩和振動や光子密度の緩和振動を抑えることが出来る。従って、レーザーダイオードから発光されるレーザー光のピークレベルの上昇を抑えることが可能となり、その結果光ディスクの信号記録層に記録されている信号を消去するというような問題が発生することを防止することが出来る。
【実施例】
【００１６】
図１は本発明に係る光ディスク装置の概略を示す構成図、図２は本発明に係るレーザーダイオードの特性を説明するための図、図３は本発明に係るレーザー駆動信号と発光出力との関係を説明するための図である。
【００１７】
図１において、１は光ディスクであり、透明な保護層１ａ、信号が記録されている信号記録層１ｂ及び保護層１ｃが設けられている。２はレーザーダイオード駆動回路３から供給される駆動信号に基づいてレーザー光を発光するレーザーダイオード、４は前記レーザーダイオード２から発光放射されるレーザー光が入射されるコリメータレンズであり、入射されるレーザー光を平行光に変更する作用を有している。
【００１８】
５は前記コリメータレンズ４にて平行光に変更されたレーザー光が入射される偏光ビームスプリッタであり、前記コリメータレンズ４から入射されるレーザー光を通過させるとともに前記光ディスク１の信号記録層１ｂから反射される反射光を反射させる反射層５ａが設けられている。
【００１９】
６は前記ビームスプリッタ５を透過したレーザー光が入射されるとともに前記光ディスク１の信号記録層１ｂから反射される反射光が入射される１／４波長板であり、レーザー光の位相を変更する作用を成すものである。７は前記１／４波長板６にて位相が変更された信号が入射されるとともに前記光ディスク１の信号記録層１ｂから反射される反射光が入射される対物レンズであり、レーザー光を信号記録層１ｂに合焦させる作用を成すもの
である。
【００２０】
斯かる構成において、変更ビームスプリッタ５を通して対物レンズ７に入射されるレーザー光の位相は１／４波長板６によってその位相が１／４波長分だけ変更される。また、光ディスク１の信号記録層１ｂから反射されるとともに対物レンズ７及び１／４波長板６を透過して偏光ビームスプリッタ５に入射されるレーザー光の位相は、１／４波長板６により更に１／４波長分だけ変更される。
【００２１】
従って、偏光ビームスプリッタ５にコリメータトレンズ４側から入射されるレーザー光の位相と１／４波長板６側から入射される反射レーザー光の位相とは１／２波長分ずれた関係となる。従って、偏光ビームスプリッタ５に入射される反射レーザー光は偏光ビームスプリッタ５に設けられている反射層５ａにて反射されてレーザー光の向きが変更される。
【００２２】
８は前記偏光ビームスプリッタ５の反射層５ａにて反射された反射レーザー光が入射されるセンサーレンズ、９は前記センサーレンズ８にて集光されるレーザー光が照射される位置に設けられている光検出器であり、光ディスク１の信号記録層１ａから読み出された信号を再生信号として生成するフォトダイオードやレーザー光を光ディスク１の信号記録層１ａに合焦させるフォーカシング制御動作及びレーザー光を信号トラックに追従させるトラッキング制御動作を行うための信号を得るためのフォトダイオードが周知の構成にて組み込まれている。
【００２３】
１０は前記レーザーダイオード駆動回路３内に設けられている高周波信号重畳回路であり、例えば３５０ＭＨｚから４５０ＭＨｚの周波数に設定される。斯かる高周波信号重畳回路１０としては、例えば三洋電機株式会社製の高周波重畳ＩＣであるＳＭＡ４２０５を使用すればよい。
【００２４】
１１はバイアス電流付加回路であり、前記高周波信号重畳回路１０から出力される高周波信号に直流電流を付加することによって前記レーザーダイオード２に駆動信号として供給するように構成されている。バイアス電流付加回路１１によって付加される直流電流値は、図３においてＢで示しており、高周波信号の最低値が発光閾値Ｉｔｈより高くなるように設定されている。
【００２５】
図２は本発明に係るレーザーダイオード２の発光特性を示すものであり、レーザーダイオード２に供給される駆動信号の電流値がＩｔからＩｏに上昇することになるが、電流値Ｉｔによってレーザーダイオード２に電流が供給されているので、注入キャリア密度及び光子密度もレーザーダイオード２が発光する以前に高くなっている。
【００２６】
駆動信号の電流値がＩｔからＩｏに上昇すると注入キャリア密度及び光子密度が各々動作密度まで上昇するが、その立ち上がり時における変動が従来例の特性である図４と比較して小さくなっていることが判る。即ち、緩和振動現象が従来例と比較して小さくなっている。
【００２７】
図３は本発明に係るレーザー駆動信号と発光出力との関係を説明するための図であり、斯かる図面より明らかなように高周波信号Ｈのレベル変化に応じて発光出力Ｌが変化するが、前述した緩和振動が従来例と比較して小さくなっているので、レーザーダイオードの立ち上がり時における発光出力のピークレベルが従来例と比較して小さくなる。
【００２８】
従って、本発明のレーザーダイオード駆動方法によれば、緩和振動による発光出力の増大を抑えることが出来るので、光ディスク１の信号記録層１ｂに記録されている信号が消
去されるというような問題を解決することが出来る。
【００２９】
尚、バイアス電流付加回路１１にて付加される直流電流値は、種々変更可能であるが、光ディスク１の信号記録層１ｂに記録されている信号の読み出し動作を行うレーザーダイオードの発光出力を得るために設定されているレーザーダイオードの駆動電流値を動作電流値としたとき、直流バイアス電流の値を前記動作電流値より小さい値に設定するようにされている。
【図面の簡単な説明】
【００３０】
【図１】本発明に係る光ディスク装置の概略を示す構成図である。
【図２】本発明に係るレーザーダイオードの発光特性を示す図である。
【図３】本発明に係るレーザー駆動信号と発光出力との関係を示す図である。
【図４】従来のレーザーダイオードの発光特性を示す図である。
【図５】従来のレーザー駆動信号と発光出力との関係を示す図である。
【符号の説明】
【００３１】
１      光ディスク
２      レーザーダイオード
３      レーザーダイオード駆動回路
５      偏光ビームスプリッタ
７      対物レンズ
９      光検出器
１０    高周波信号重畳回路
１１    バイアス電流付加回路
【図１】
2008053600.tif 000003
【図２】
2008053600.tif 000004
【図３】
2008053600.tif 000005
【図４】
2008053600.tif 000006
【図５】
2008053600.tif 000007